(57)【要約】      （修正有）【課題】使用者の気持ちを和らげ、自らの精神的不満や鬱積、ストレスなどを良好に軽減発散させることができるストレス緩和発散器具を提供する。【解決手段】ストレス緩和発散器具１として、中空室を有するボックス本体２と、ボックス本体２の上面辺及び/又は側面辺に開設されたスリット構造の開口部３、４とを備え、前記開口部３、４のボックス本体２内部側には、前記スリット開口の片側からボックス本体内方へ、開口を塞ぐように延びる第１のガイド部材と、前記スリット開口の他方の側部からボックス本体２内方へ、前記開口を塞ぐように延びる第２のガイド部材とを備えている。使用者が日常のストレスから生じる不満や不安などの文言を書き連ねた書片を投入することにより、使用者本人の本心をさらけ出し悪意や邪見を捨て去る代替行為をなす。【選択図】図１
0003195123.tif 000002
【実用新案登録請求の範囲】
【請求項１】
中空室を有するボックス本体と、ボックス本体の上面辺及び/又は側面辺に開設されたスリット構造の開口部とを備え、前記開口部のボックス本体内部側には、前記スリット開口の片側からボックス本体内方へ、開口を塞ぐように延びる第１のガイド部材と、前記スリット開口の他方の側部からボックス本体内方へ、前記開口を塞ぐように延びる第２のガイド部材とを備えたストレス緩和発散器具。
【請求項２】
前記第１のガイド部材と第２のガイド部材として、薄片材料を所定の長さに成形して、開口部のボックス本体内部側に取り付け、ボックス本体の内方へ延ばして設定されていることを特徴とする請求項１記載のストレス緩和発散器具。
【考案の詳細な説明】
【技術分野】
【０００１】
本考案は、日常的なストレスを緩和し、或いは発散することに使用可能なストレス緩和発散器具に関する。
【背景技術】
【０００２】
現代における我々の日常生活の中には、人と時と場所を選ばず、様々な多大なストレスが存在する。精神的緊張を和らげ、それらのストレスから来る不安、恐怖、興奮などを解消することは現代人にとって、心身の健康を維持するために日常的に不可欠のことである。
【０００３】
一昔前ならば社会の環境や情勢を含め、家族構成、人間（友人）関係が自然にそれらのストレスを緩和・発散させてくれる場合が多かった。また、日常のストレスを解消するための装置、器具としては遊技機があり、遊技機においてストレス解消の効果を向上させるための従来技術としては、例えば特許文献１に示されたものがある。この従来技術は、遊技機に意外性、非予測性、変化を付与して遊技の単純作業化或いは気分の沈み込みを防ぐことを図ったものである。
【先行技術文献】
【特許文献】
【０００４】
【特許文献１】特開２００６−０３４７０４号公報
【考案の概要】
【考案が解決しようとする課題】
【０００５】
しかしながら、上述のようなストレス解消法は、器械を相手として人間の射幸心を煽るないしは刺激するもので、より良いストレス解消をもたらすものではない。例えば、現在の状況は、核家族化や教育の変容、社会での孤立化など様々な要因により、あらゆる階層の老若男女を問わず、それらのストレスを緩和、発散、解消できる状況ではない。よって、そのストレスの捌け口や発散口が執拗な個人攻撃になったり、プライバシーを踏みにじるという手段になっている。具体的には、通信ネット上での中傷や、掲示板などによる悪口雑言、プライバシーの侵害など、およそ健全な解消手段とはなり得ていない。
【０００６】
本考案は上記従来技術の不具合に鑑みてなされたものであり、その目的は使用者の気持ちを和らげ、自らの精神的不満や鬱積、ストレスなどを良好に軽減発散させることができるストレス緩和発散器具を提供することである。
【課題を解決するための手段】
【０００７】
上記目的を達成するために本考案は、ストレス緩和発散器具として、中空室を有するボックス本体と、ボックス本体の上面辺及び/又は側面辺に開設されたスリット構造の開口部とを備え、前記開口部のボックス本体内部側には、前記スリット開口の片側からボックス本体内方へ、開口を塞ぐように延びる第１のガイド部材と、前記スリット開口の他方の側部からボックス本体内方へ、前記開口を塞ぐように延びる第２のガイド部材とを備えたことを要旨としている。開口部はスリット構造でありその隙間は極めて狭い上、開口部の他には何ら開口がなく密閉箱となっているため、内部に一旦収容された紙片はボックス本体を破壊しない限り人為的に取り出し不可能であり、偶発的にも外部へはみ出し不可能である。
【０００８】
上記ストレス緩和発散器具において、第１のガイド部材と第２のガイド部材とは、互いに交差する方向へ延びても開口部のスリット開口を維持するために、一方のガイド部材を他方のガイド部材よりも短い寸法に設定し、両ガイド部材が開口部からボックス本体内方への垂直線に対して傾斜して隙間を確保するようにしてもよい。また、第１のガイド部材と第２のガイド部材として、薄片材料を所定の長さに成形して、開口部のボックス本体内部側に取り付け、ボックス本体の内方へ延ばして設定されていてもよい。そして、このストレス緩和発散器具の内部には、その使用者が所定の用紙（例えば名刺大の用紙）に日常のストレスから生じる不満や不安、或いは不快なこと、うらみ、つらみ、ねたみなどの苛立ち文言を書き連ね、当人の本心をさらけ出し、本器である密閉箱に投入することでその悪意や邪見を捨て去る代替行為をなすことができる。
【考案の効果】
【０００９】
以上のように、本考案によれば、ボックス構造という構造的に簡易なストレス緩和発散器具とし、本器は人々の気持ちを和らげ、自らの精神的不満や鬱積、ストレスなどを軽減発散させる効果が期待できる。
【図面の簡単な説明】
【００１０】
【図１】本願考案の一実施の形態に係るストレス緩和発散器具を表す斜視図である。
【図２】前記実施の形態に係るストレス緩和発散器具の開口部付近の内部構成を表すために図１中Ａ−Ａ線に沿って一部を破断して示す部分断面図である。
【考案を実施するための形態】
【００１１】
以下、本考案を図面に示した実施の形態により詳細に説明する。図１は本考案の一実施形態に係るストレス緩和発散器具の外観構成を表す斜視図である。図２は図１中Ａ−Ａ線に沿って一部を破断して示す部分断面図である。図１において、符号１はストレス緩和発散器具である。このストレス緩和発散器具１は、中空室を有し当該ストレス緩和発散器具１の筐体を構成するボックス本体２と、ボックス本体２の上面辺及び/又は側面辺に開設されたスリット構造の第１の開口部３及び第２の開口部４とを備えている。第１及び第２の開口部３，４はスリット構造でありその隙間は極めて狭く形成されている。よって、本実施の形態に係るストレス緩和発散器具１は第１及び第２の開口部３，４の他には何ら開口がなく密閉箱となっているため、内部に一旦収容された物品（例えば紙片）はボックス本体を破壊しない限り人為的に取り出し不可能であり、偶発的にも外部へはみ出し不可能である。ボックス本体２は、図１で見て正面が縦長の長方形に成形され、側面が縦方向長さに対してきわめて小さな長さに設定された奥行寸法を有する直方体構造を有している。ちなみにボックス本体２の各部位の長さの一例を示すと、図１の正面で、縦寸法が２１０ｍｍ（ミリメートル）、横寸法が１５０ｍｍ、奥行き外寸法が１６ｍｍであり、中空室７（図２参照）の内のりにおける奥行寸法は１０ｍｍである。これくらいの大きさであれば、ストレス緩和発散器具１に名刺大の用紙から成る書片（物事を書き付けた用紙）を収容するとした場合、１００片或いはそれ以上の数の書片が封入できる機能を有する。
【００１２】
第１の開口部３のボックス本体２内部側には、図２に示されているように、当該開口部３の片方の側辺からボックス本体２内方へ、開口を塞ぐように垂直方向から傾斜した方向へ延びる第１のガイド部材５と、前記開口部３の他方の側部辺からボックス本体２内方へ、前記開口を塞ぐように前記第１のガイド部材５と交差する方向へ垂直方向から傾斜して延びる第２のガイド部材６とを備えている。これによりストレス緩和発散器具１の内部に収容された物品の取り出し防止或いははみ出し防止機能をより一層向上させている。
【００１３】
第１のガイド部材５と第２のガイド部材６とは、互いに交差する方向へ延びても第１の開口部３のスリット開口を維持するために、一方のガイド部材を他方のガイド部材よりも短い寸法に設定し、隙間を確保するようにしている。なお、第１及び第２のガイド部材５，６は木、プラスチック板または金属といった固い材料により成形されていても良いし、或いは紙や布またはプラスチックの薄片材料から成っていてもよい。後者の材料（紙や布等）を使用した場合は、第１のガイド部材５と第２のガイド部材６とを互いに交差する方向へ延びる等の取り付け方法を規定する必要はなく、紙や布等を所定の長さに成形して、第１の開口部３のボックス本体２内部側に取り付け、ボックス本体２内方へ延ばせば開口を塞ぐ機能を持たせることができる。なお、第２の開口部４についても、第１の開口部３と同様に第１のガイド部材５と第２のガイド部材６に相当するガイド部材を取り付けることができる。
【００１４】
このような構成を有するストレス緩和発散器具１に対し、その使用者は、所定の用紙（例えば名刺大の用紙）に日常のストレスから生じる不満や不安、或いは不快なこと、うらみ、つらみ、ねたみなどの苛立ち文言を書き連ね、その書片（書き付けた用紙）をストレス緩和発散器具１に第１の開口部３又は第２の開口部４から投入する。これにより、当人の本心をさらけ出し、ストレス緩和発散器具１に投入することでその悪意や邪見を捨て去る代替行為をなす。この書きつける行為やその書片を密閉箱の中に捨て去るという行為は、当人の心を意外と落ち着かせ、平常心や安心を取り戻す。そして、当人の気持ちを和らげ、自らの精神的不満や鬱積、ストレスなどを軽減発散させる効果をもたらす。さらにストレス緩和発散器具１の使用者にとっては、本人が心の中をさらけ出すことで、ストレスや精神的緊張から解放され、「清清」とした気分になることができる。なお、ストレス緩和発散器具１に投入される書片について、用紙に日常の不満等を書くために使用する筆記具には、所定期間（例えば数日）後には記載内容が消滅するインクのような特殊なものを使用することで、万一の秘密漏えいなどの事故或いは不安、心配を回避することができる。
【００１５】
記載済書片が収容されたストレス緩和発散器具１（密閉箱）は、所定の管理者の元へ回収され、処理される。処理の方法としては、例えば「焚き上げ」等の方法がある。これは、密閉箱の使用者が書き付けた日常の不満等の思いを受け止めて解消するという行為を実行することにより、使用者当人に精神的安堵を与えるためのものである。
【００１６】
そして、本考案に係るストレス緩和発散器具１は、上記使用者の行為と器具管理者の行為を年々歳々続けることにより、使用者本人の心理的負担への抵抗力を涵養することができ、使用者にとっていずれは密閉箱が不要になることを企図する。
【産業上の利用可能性】
【００１７】
使用者が所定の用紙に日常のストレスから生じる不満や不安などの文言を書き連ねて投入する密閉箱構造のストレス緩和発散器具であり、使用者本人の本心をさらけ出し悪意や邪見を捨て去る代替行為をなすことができ、有用である。
【符号の説明】
【００１８】
１  ストレス緩和発散器具
２  ボックス本体
３  第１の開口部
４  第２の開口部
５  第１のガイド部材
６  第２のガイド部材
【図１】
0003195123.tif 000003
【図２】
0003195123.tif 000004